(57)【要約】【課題】足に対する圧迫を低減させる履物を提供する。【解決手段】右足用履物１１Ｒは、足の裏を覆う底部１２と、足の甲を覆うカバー１５とを備え、底部１２の周縁部のうち、つま先の形状に倣う縁部１３ａと、踵の形状に倣う縁部１４ａとを連結する内側縁１６及び外側縁１７を有する。そして、カバー１５が、底部１２の接触面１２ａにおいて、内側縁１６に連結され且つ外側縁１７から離れた片持ち梁状をなしている。【選択図】図１
2013150704.tif 000002
【特許請求の範囲】
【請求項１】
足の裏を覆う底部と、
足の甲を覆う甲被覆部とを備え、
前記底部の周縁部のうち、
つま先の形状に倣う縁部分を第１部分とし、
踵の形状に倣う縁部分を第２部分とし、
前記第１部分と前記第２部分とを連結する一対の縁部分を側縁部分とし、
前記甲被覆部が、
第１の側縁部分に連結され、第２の側縁部分から離れている
ことを特徴とする履物。
【請求項２】
一の前記履物における前記第２の側縁部分と前記甲被覆部との隙間には、
他の前記履物における前記第２の側縁部分が差込まれる
請求項１に記載の履物。
【請求項３】
前記一対の側縁部分のうち、
前記第１の側縁部分が、親指に近い側縁部分であり、
前記第２の側縁部分が、子指に近い側縁部分である
請求項１又は２に記載の履物。
【発明の詳細な説明】
【技術分野】
【０００１】
本発明は、足の裏を覆う底部と足の甲を覆う甲被覆部とを有する履物に関する。
【背景技術】
【０００２】
上述のような履物には、従来から、特許文献１及び特許文献２に記載のように、指部における通気性を高めることを目的とした各種の提案がなされている。図７及び図８の各々は、こうした提案の一例である履物の斜視構造を示す斜視図である。
【０００３】
図７に示される履物５０には、底部５１に連結されたカバー５２の左右両側に、一対のスリット５３，５４が形成されている。一対のスリット５３，５４の各々は、指部の先端から付け根までの全範囲にわたり形成されている。この構成によれば、カバー５２で覆われる空間がスリット５３，５４を通じて外部と連通するため、スリット５３，５４を有しないカバー５２と比べて、指部における通気性を高めることが可能となる。
【０００４】
図８に示される履物５５には、底部５６における左右両側縁に、一対のカバー５７，５８が連結されている。一対のカバー５７，５８の間には、足の甲における左右方向の中央部がつま先まで露出するように、隙間が空けられている。この構成によれば、足の甲の中央部や指部の一部がカバー５７，５８の外側に露出するため、甲被覆部が袋状をなす構成と比べて、これもまた、指部における通気性を高めることが可能となる。
【先行技術文献】
【特許文献】
【０００５】
【特許文献１】特開平１０−１９２００１号公報
【特許文献２】特開平９−２９４６０４号公報
【発明の概要】
【発明が解決しようとする課題】
【０００６】
しかしながら、特許文献１及び２に記載の履物では、指部における通気性を高めることが可能ではあるものの、底部の両側縁からカバーが延出しているため、足の左右両側部がカバーに押されて圧迫される。
【０００７】
本開示の技術は、足に対する圧迫を低減させる履物を提供することを目的とする。
【課題を解決するための手段】
【０００８】
本開示における履物の態様の一つは、足の裏を覆う底部と、足の甲を覆う甲被覆部とを備え、前記底部の周縁部のうち、つま先の形状に倣う縁部分を第１部分とし、踵の形状に倣う縁部分を第２部分とし、前記第１部分と前記第２部分とを連結する一対の縁部分を側縁部分とし、前記甲被覆部が、第１の側縁部分に連結され、第２の側縁部分から離れている。
【０００９】
本開示における履物の一態様によれば、足の側部のうちの一方が底部と甲被覆部との隙間から露出されるため、一対の側縁部分の双方に甲被覆部が連結されている場合に比べて、足における解放感を高めることができる。しかも、第２の側縁部分と甲被覆部との隙間を通じて足の裏と底部との間に外気が入り込みやすくなる結果、一対の側縁部分の双方に甲被覆部が連結されている場合に比べて、足の裏と底部との間における通気性を向上させることもできる。
【００１０】
本開示における履物の他の態様は、一の前記履物における前記第２の側縁部分と前記甲被覆部との隙間には、他の前記履物における前記第２の側縁部分が差込まれる。
２つの履物が袋や箱に収納される際、通常、一の履物における底部のつま先部分と、他の履物における底部の踵部分とが重なるように、あるいは一の履物における底部のつま先部分と他の履物における底部のつま先部分とが重なるように、２つの履物が重ねられる。一方、本開示における履物の他の態様によれば、２つの履物が袋や箱に収納される際、上述した重ね合わせ方の他、一の履物における第２の側縁部分と甲被覆部との隙間に、他の履物における第２の側縁部分を差込むことで重ね合わせることも可能である。それゆえに、２つの履物の収納に際し、２つの履物の重ね合わせ方の自由度を増やすことが可能にもなる。
【００１１】
本開示における履物の他の態様は、前記一対の側縁部分のうち、前記第１の側縁部分が、親指に近い側縁部分であり、前記第２の側縁部分が、子指に近い側縁部分である。
人の歩行動作では、通常、以下のように足が動かされる。すなわち、まず、踵が着地し、次いで、足の小指側から親指の付け根に荷重が移動され、その後、親指の付け根にて地面が蹴られる。そのため、足が地面から離れる際には、履物の底部から甲被覆部を離す力が、小指側よりも親指側で大きくなる。この点、本開示における履物の他の態様によれば、親指に近い側縁部分と甲被覆部とが連結されているため、小指に近い側縁部分と甲被覆部とが連結されている場合に比べて、甲被覆部が底部から離れることを抑えることができる。その結果、甲被覆部と底部との連結部位における耐久性を高めることができる。
【図面の簡単な説明】
【００１２】
【図１】本開示における履物の一実施形態の平面構造を示す平面図。
【図２】一実施形態における履物の側面構造を示す側面図。
【図３】一実施形態における履物を重ね合わせる際の履物の配置を示す平面図。
【図４】一実施形態における履物が重ね合わせられた状態を示す側面図。
【図５】変形例における履物の平面構造を示す平面図。
【図６】変形例における履物の平面構造を示す平面図。
【図７】従来例における履物の斜視構造を示す斜視図。
【図８】従来例における履物の斜視構造を示す斜視図。
【発明を実施するための形態】
【００１３】
以下、本発明にかかる履物の一実施形態について図１〜４を参照して説明する。
図１に示されるように、履物１０は、右足用履物１１Ｒと左足用履物１１Ｌとから構成される。なお、右足用履物１１Ｒと左足用履物１１Ｌとは、平面視にて左右対称となる構造であるから、左右対称となる構成の各々に同じ符号を付し、右足用履物１１Ｒの構成を説明し、左足用履物１１Ｌの詳細な説明を省略する。
【００１４】
図１に示されるように、右足２０Ｒの裏が接触する接触面１２ａを有する底部１２は、足の先端部において指がある部分であるつま先が接触するつま先部分１３から、足の後の部分である踵が接触する踵部分１４に向けて長手方向に延びる平板状をなしている。底部１２は、つま先部分１３の外縁である第１部分としての縁部１３ａがつま先の形状に倣うように形成されており、また踵部分１４の外縁である第２部分としての縁部１４ａが踵の形状に倣うように形成されている。また、底部１２は、つま先部分１３の縁部１３ａと踵部分１４の縁部１４ａとを連結する側縁部分であって、右足２０Ｒの親指側に配置される第１の側縁部分である内側縁１６と右足２０Ｒの小指側に配置される第２の側縁部分である外側縁１７とを備えている。また、底部１２は、つま先部分１３よりも踵部分１４が肉厚となるように形成されている。そして、長手方向における底部１２の中央部分には、足の甲を覆う甲被覆部としてのカバー１５が該足の甲を跨ぐように配設されている。
【００１５】
カバー１５は、底部１２の接触面１２ａにおける内側縁１６に連結されている。カバー１５は、底部１２に対し該底部１２の接触面１２ａから反対側に向けて湾曲する板状をなしている。カバー１５は、底部１２の外側縁１７とは連結されておらず、底部１２の接触面１２ａから離れた状態に保持されている。すなわち、カバー１５は、内側縁１６との連結部分に基端部１５Ａを有する片持ち梁状に形成されている。そして、カバー１５は、底部１２との連結部分である基端部１５Ａにおいて最も肉厚となるように形成されているとともに、先端部１５Ｂよりも基端部１５Ａの方が底部１２の長手方向における長さが長くなるように形成されている。
【００１６】
また、図２に示されるように、カバー１５は、足の甲２２の形状に合わせて、つま先部分１３から踵部分１４にかけて、底部１２の接触面１２ａから該カバー１５の頂部までの高さが徐々に高くなるように形成されている。また、カバー１５は、つま先部分１３から踵部分１４にかけて先端部１５Ｂと底部１２との隙間Ｗの幅が徐々に大きくなるように形成されている。この隙間Ｗは、カバー１５と底部１２とに挟まれる空間に左足用履物１１Ｌの底部１２が隙間Ｗを通じて出し入れ可能な形状に形成されている。本実施形態では、この隙間Ｗにおける最少幅が底部１２の厚さであって該底部１２の踵部分１４の厚さｔよりも大きくなるようにカバー１５が形成されている。なお、これら底部１２とカバー１５とで構成される右足用履物１１Ｒは、一体成形された樹脂成形体であり、カバー１５は、歩行の妨げにならない程度に撓むようになっている。
【００１７】
次に、上述した構成の履物１０の作用について図２〜図４を参照して説明する。
図２に示されるように、右足用履物１１Ｒを右足に装着させると、底部１２に足の裏２１が接触するとともにカバー１５によって足の甲２２の一部が覆われる。このとき、右足２０Ｒにおける親指側の側部がカバー１５に接触する一方、右足２０Ｒにおける小指側の側部の一部がカバー１５の先端部１５Ｂと底部１２との隙間Ｗを通じて露出することになる。すなわち、右足２０Ｒにおける小指側の側部は、踵からつま先までの全範囲で外部に露出されることになる。そのため、底部１２の内側縁１６及び外側縁１７の双方にカバーが連結されている場合に比べて、小指側の側部が露出される分だけ、ユーザーが右足用履物１１Ｒから受ける圧迫を低減することができる。
【００１８】
また、右足２０Ｒにおける小指側の側部が露出していることから、カバー１５の先端部１５Ｂと底部１２との隙間Ｗを通じて、足の裏２１と底部１２との間に右足２０Ｒの側方から外気が入り込みやすくなる。その結果、底部１２の内側縁１６及び外側縁１７の双方にカバーが連結されている場合に比べて、足の裏２１と底部１２との間における通気性を向上させることができる。
【００１９】
ここで、人の歩行動作では、通常、まず、踵が着地し、次いで、足の小指側から親指の付け根に荷重が移動され、その後、親指にて地面が蹴られる。そのため、足が地面から離れる際には、底部１２からカバー１５を離す力が小指側よりも親指側で大きくなる。この点、上記右足用履物１１Ｒにおいては、片持ち梁状のカバー１５が底部１２の内側縁１６に連結されているため、カバー１５が外側縁１７に連結されている場合に比べて、カバー１５が底部１２から離れることを抑えることができる。その結果、底部１２とカバー１５の連結部位における耐久性を高めることができる。
【００２０】
また、カバー１５は、該カバー１５と底部１２とに挟まれる空間に、先端部１５Ｂと底部１２との隙間Ｗを通じて、左足用履物１１Ｌの底部１２が出し入れ可能な形状に形成されている。また、左足用履物１１Ｌにおいても、カバー１５は、該カバー１５と底部１２とに挟まれる空間に、先端部１５Ｂと底部１２との隙間Ｗを通じて、右足用履物１１Ｒの底部１２が出し入れ可能な形状に形成されている。そのため、これら右足用履物１１Ｒと左足用履物１１Ｌとを重ね合わせ方の自由度を増やすことができる。
【００２１】
例えば、図３に示されるように、右足用履物１１Ｒの右側に、該右足用履物１１Ｒの向きとは反対向きの裏返した左足用履物１１Ｌを配置したのち、これら右足用履物１１Ｒ及び左足用履物１１Ｌの底部１２を互いの隙間Ｗに挿入することが可能である。これにより、図４に示されるように、履物１０は、カバー１５と底部１２とに挟まれる空間に互いの底部１２が配置された状態で右足用履物１１Ｒと左足用履物１１Ｌとを重ねることができる。すなわち、右足用履物１１Ｒにおけるカバー１５と底部１２との間の空間が左足用履物１１Ｌの底部１２によって共有され、且つ左足用履物１１Ｌにおけるカバー１５と底部１２との間の空間が右足用履物１１Ｒの底部１２によって共有されることになる。その結果、カバー１５の先端部１５Ｂと底部１２との隙間Ｗに通すことなく互いの底部１２を重ねた場合に比べて、履物１０が占有する容積を小さくすることができる。それゆえに、履物１０の収容性を向上させることができる。
【００２２】
以上説明したように、上記実施形態によれば、以下に示す効果を得ることができる。
（１）小指側の側部における踵からつま先までの全範囲が外部に露出されるため、同側部に対する圧迫を低減し、足の裏２１と底部１２との通気性を向上させることができる。
【００２３】
（２）カバー１５が底部１２の内側縁１６に連結されていることから、右足用履物１１Ｒ及び左足用履物１１Ｌの耐久性を高めることができる。
（３）右足用履物１１Ｒ及び左足用履物１１Ｌは、カバー１５と底部１２とに挟まれる空間に先端部１５Ｂと底部１２との隙間Ｗを通じて互いの底部１２を出し入れすることが可能であることから、これら右足用履物１１Ｒと左足用履物１１Ｌとを重ね合わせ方の自由度を高めることができる。
【００２４】
（４）そして、これら右足用履物１１Ｒ及び左足用履物１１Ｌにおいて、一方の履物における底部１２とカバー１５との間の空間が他方の履物の底部によって共有されることから、履物１０の収容性を向上させることができる。
【００２５】
なお、上記実施形態は、以下のように適宜変更して実施することもできる。
・先端部１５Ｂと底部１２との隙間Ｗは、他の履物における底部１２が出し入れ不能な程度の間隔でもよい。
【００２６】
・右足用履物１１Ｒ及び左足用履物１１Ｌの少なくとも一方にて、カバー１５は、外側縁１７に連結され、内側縁１６から離れていてもよい。また、右足用履物１１Ｒと左足用履物１１Ｌのいずれか一方にて、カバー１５は、内側縁１６と外側縁１７とに連結されてもよい。
【００２７】
・つま先部分１３と踵部分１４とが、底部１２の長手方向で対称となる形状であってもよい。この際、側縁部分の略中央にカバー１５が連結されることによって、踵部分１４につま先が配置される装着の態様で履物を利用することが可能にもなる。
【００２８】
・右足用履物１１Ｒの底部１２及び左足用履物１１Ｌの底部１２の各々が、左右方向で対称となる形状であってもよい。これによれば、右足用履物１１Ｒに左足を装着し、且つ左足用履物１１Ｌに右足を装着することが可能にもなる。
【００２９】
・底部１２とカバー１５との連結する部位には、底部１２とカバー１５とに連なる金属製の補強部材が埋設されていてもよい。この構成によれば、底部１２とカバー１５とが連結される部位における機械的な強度を高めることができる。
【００３０】
・履物は、一体成形された樹脂成形体であってもよく、あるいは底部１２とカバー１５とが各別の部材として連結されてなるものであってもよい。例えば、底部１２に挿通されるねじとカバー１５との螺合により、底部１２とカバー１５とが連結されてもよい。
【００３１】
・また、履物は、底部１２とカバー１５が各別の部材として連結されてなる場合、カバー１５が底部１２に対して該底部１２の左右方向を軸にして揺動可能に連結されていてもよい。こうした構成であれば、つま先部分１３につま先が配置される装着の態様であれ、踵部分１４につま先が配置される装着の態様であれ、履物を利用する際に、足の甲の形状に倣うようにカバー１５を回動させることが可能である。なお、カバー１５は、例えばばね等の付勢部材を用いて、底部１２の長手方向における略中央に向けて付勢されていることが好ましい。
【００３２】
・底部１２には、足の指の少なくとも１つを該底部１２の反対側から覆うことにより、底部１２から足の指が離れることを規制する指規制部が形成されていてもよい。この指規制部は、底部１２に対して、例えば、足の親指と人差し指との間に配置される部位に連結されていてもよいし、底部１２の縁部１３ａに連結されていてもよい。また指規制部は、足の指の全てを覆う態様であってもよい。こうした指規制部を設けることによって、足に対する履物のフィット感を持続させることが可能である。
【００３３】
ちなみに、指規制部が足の親指と人差し指との間に配置される部位に連結され、足の親指、あるいは足の親指と人差し指とを覆う態様であって、この指規制部のみが底部１２に形成された履物は、足の解放感が高いものの、ユーザーがある程度の訓練をしないと歩行しづらい。しかしながら、こうした履物に、カバー１５を設けることによって、歩行時に足の甲がカバー１５に接触することになるため、足の解放感を損なうことなく、ユーザーが歩行しやすくなる。そして、上述した履物においては、カバー１５は、外側縁１７に連結されていることが好ましい。こうした構成によれば、歩行時に足の親指側から受ける荷重が主に指規制部に作用し、足の小指側から受ける荷重が主にカバー１５に作用することになる。その結果、足の小指側から受ける荷重に対する履物の機械的な強度を高めることができる。
【００３４】
・また、上記指規制部とカバー１５とが連結されていてもよい。指規制部とカバー１５とが連結されることによって、歩行時にカバー１５に作用する荷重を低減することが可能である。
【００３５】
・履物には、足の踵の少なくとも一部を覆うことによって、底部１２から足の踵が離れることを規制する踵規制部が形成されていてもよい。この踵規制部は、底部１２に連結されていてもよいし、カバー１５に連結されていてもよい。踵規制部が、底部１２及びカバー１５に連結されている場合には、歩行時にカバー１５に作用する荷重を低減させることが可能である。
【００３６】
・履物は、カバー１５を底部１２の長手方向にスライドさせる構成を有していてもよい。
・底部１２には、該底部の厚み方向に貫通する貫通孔が形成されていてもよい。こうした構成によれば、履物の軽量化を図ることができる。
【００３７】
・履物は、滑り止め器具や中敷きを装着させた状態で使用することも可能である。
・履物は、足が接触する部分に取り外し可能な不織布などが設けられていてもよい。こうした構成によれば、不織布の交換や洗浄を行なうことによって履物を清潔に保つことが可能である。
【００３８】
・図５に示されるように、１つの底部１２に複数のカバー１５が連結されてもよい。
・図６に示されるように、カバー１５は、カバー１５の一部を貫通する孔である開放部１８を有してもよい。なお、この開放部１８は、カバー１５に複数形成されていてもよいし、その開口の形状も例えば円状に適宜変更可能である。
【符号の説明】
【００３９】
ｔ…厚さ、Ｗ…隙間、１０…履物、１１Ｌ…左足用履物、１１Ｒ…右足用履物、１２…底部、１２ａ…接触面、１３…つま先部分、１３ａ…縁部、１４…踵部分、１４ａ…縁部、１５…カバー、１５Ａ…基端部、１５Ｂ…先端部、１６…内側縁、１７…外側縁、１８…開放部、２０Ｒ…右足、２１…足の裏、２２…足の甲、５０…履物、５１…底部、５２…カバー、５３，５４…スリット、５５…履物、５６…底部、５７，５８…カバー。
【図１】
2013150704.tif 000003
【図２】
2013150704.tif 000004
【図３】
2013150704.tif 000005
【図４】
2013150704.tif 000006
【図５】
2013150704.tif 000007
【図６】
2013150704.tif 000008
【図７】
2013150704.tif 000009
【図８】
2013150704.tif 000010